(57)【要約】【課題】キャビネット側板の上下方向の任意の位置に無段階で棚板を見映えよく取り付けることのできるキャビネットの棚板取り付け構造を提供する。【解決手段】左右側板２１、２２と背板２３および天板２４と底板２５とからなるキャビネット２の左右側板２１、２２の後端部内側にスライド溝３１、３２が縦方向に対向して設けられるとともに、棚板１の左右後端部には側方に突出し上記スライド溝３１、３２にスライド自在に係合する左右係合片１１、１２が設けられ、上記棚板１の左右前端部には側方に突出する左右固定片１３、１４が設けられ、任意の高さで上記左右固定片１３、１４を左右側板２１、２２の前面に固定してなるキャビネットの棚板取り付け構造Ａ【選択図】図１
2009195606.tif 000002
【特許請求の範囲】
【請求項１】
キャビネットに内設される棚板の取り付け構造であって、上記キャビネットは左右側板と背板および天板と底板とからなり、上記左右側板の後端部内側にはスライド溝が縦方向に対向して設けられるとともに、上記棚板の左右後端部には側方に突出し上記スライド溝にスライド自在に係合する左右係合片が設けられ、上記棚板の左右前端部には側方に突出する左右固定片が設けられ、任意の高さで上記左右固定片を左右側板の前面に固定してなるキャビネットの棚板取り付け構造。
【請求項２】
上記左右固定片にはネジ孔が螺設されるとともに、このネジ孔に螺合する雄ネジを有する固定用アジャスターによって左右側板の前面にネジ固定し、棚板を取り付けてなる請求項１に記載のキャビネットの棚板取り付け構造。
【請求項３】
上記固定用アジャスターのヘッド部は軟質素材から形成されてなる請求項２に記載のキャビネットの棚板取り付け構造。
【請求項４】
上記棚板の手前側に載置物の落下を防止するための落下防止バーが設けられた請求項１に記載のキャビネットの棚板取り付け構造。
【請求項５】
上記棚板に替えて箱体が用いられた請求項１に記載のキャビネットの棚板取り付け構造。
【発明の詳細な説明】
【技術分野】
【０００１】
本願発明は、洗面キャビネット、キッチンキャビネット、ボックス棚等各種の収納キャビネットに用いられる棚板に関し、特に、棚板の上下の間隔を無段階で調節できるキャビネットの棚板取り付け構造に関するものである。
【背景技術】
【０００２】
従来、各種のキャビネットの棚板は、キャビネット側板の内側に対向して上下に適宜な間隔で穿たれた下穴に金属製のダボを差し込み、その上に数枚の棚板が適宜な間隔で架け渡されて取り付けられている。すなわち、本願図７に示すように、公知のキャビネットＣにおいては、左右側板の内側に対向して穿たれた下穴７に金属製のダボ８を差し込み合計４本のダボで棚板９を支持し、数枚の棚板９が所望の間隔で支持される構造となっている。
【０００３】
一方、実開平５−６０３８０号公報には、左側または右側の一方の側板の内側から少なくとも引き出しの間口分を隔てた位置に中仕切板を設けてある洗面キャビネットにおいて、他方の側板の内側から少なくとも引き出しの間口分を隔てた位置に前記中仕切板とは別の中仕切板を追加して設け、前記両間口内で互いに対向する両側板および両中仕切板のそれぞれの対向部位には引き出し用の擦れ桟を取り付けるための取り付け部を有することを特徴とする洗面キャビネットが開示されている。そして、前記取り付け部を棚板取り付け用ダボの取り付け部に共用する旨記載されている。
【特許文献１】実開平５−６０３８０号公報
【発明の開示】
【発明が解決しようとする課題】
【０００４】
上記したように、下穴にダボを差し込み、差し込まれたダボに棚板を取り付けて用いることは公知であり、種々のキャビネットにおいて利用されている。しかしながら、本願図７に示すように、棚板を支持するために用いられない下穴は露出して見えるため、見映えが悪いという問題がある。また、下穴が開けられている個所でのみ、棚板を取り付けることが可能で、それ以外のところに棚板を取り付けることはできないという問題もある。本願発明は、上記背景技術に鑑みてなしたものであり、その目的は、左右側板の内側に対向して穿たれた下穴とそれに差し込むダボを用いることなく、キャビネット側板の上下方向の任意の位置に無段階で棚板を取り付けることのできるキャビネットの棚板取り付け構造を提供することである。
【課題を解決するための手段】
【０００５】
上記課題を解決するために、本願請求項１に記載の発明に係るキャビネットの棚板取り付け構造においては、キャビネットに内設される棚板の取り付け構造であって、上記キャビネットは左右側板と背板および天板と底板とからなり、上記左右側板の後端部内側にはスライド溝が縦方向に対向して設けられるとともに、上記棚板の左右後端部には側方に突出し上記スライド溝にスライド自在に係合する左右係合片が設けられ、上記棚板の左右前端部には側方に突出する左右固定片が設けられ、任意の高さで上記左右固定片を左右側板の前面に固定してなることを特徴としている。
【０００６】
本願請求項２に記載の発明は、上記請求項１に記載のキャビネットの棚板取り付け構造において、上記左右固定片にはネジ孔が螺設されるとともに、このネジ孔に螺合する雄ネジを有する固定用アジャスターによって左右側板の前面にネジ固定し、棚板を取り付けてなることを特徴としている。
【０００７】
本願請求項３に記載の発明は、上記請求項２に記載のキャビネットの棚板取り付け構造において上記固定用アジャスターのヘッド部は軟質素材から形成されてなることを特徴としている。
【０００８】
本願請求項４に記載の発明は、上記請求項１に記載のキャビネットの棚板取り付け構造において、上記棚板の手前側に載置物の落下を防止するための落下防止バーが設けられたことを特徴としている。
【０００９】
本願請求項５に記載の発明は、上記請求項１に記載のキャビネットの棚板取り付け構造において、上記棚板に替えて箱体が用いられたことを特徴としている。
【発明の効果】
【００１０】
本願請求項１記載の発明にかかるキャビネットの棚板取り付け構造においては、特に、左右側板と背板および天板と底板とからなるキャビネットの左右側板の各々後端部内側にスライド溝が縦方向に対向して設けられ、このスライド溝にスライド自在に係合する係合片が上記棚板の左右後端部の側方に突設されるとともに、上記棚板の左右前端部には側方に突出する左右固定片が設けられ、任意の高さで上記左右固定片を左右側板の前面に固定して棚板が取り付けられるため、キャビネット内の高さ方向に無段階で棚板の位置決めをすることができる。
【００１１】
また、公知技術における下穴とダボとを用いないため、使用しない下穴が露出して見えることがなく、外観性が向上するという効果も得ることができる。
【００１２】
本願請求項２記載の発明に係るキャビネットの棚板取り付け構造においては、特に、上記左右固定片にはネジ孔が螺設され、このネジ孔に螺合する雄ネジを有する固定用アジャスターによって左右側板の前面にネジ固定し、棚板を取り付けるため、固定用アジャスターを手で締めて螺着するだけで、キャビネットの縦方向の任意の位置に簡単に棚板を取り付けることができる。
【００１３】
本願請求項３記載の発明に係るキャビネットの棚板取り付け構造においては、特に、上記固定用アジャスターのヘッド部が軟質素材から形成されてなるため、上記キャビネットを、例えば、洗面キャビネット内のユニットとして使用する場合、洗面キャビネットの扉を閉めた時の衝撃音の発生を抑え、快適に使用することができる。
【００１４】
本願請求項４記載の発明に係るキャビネットの棚板取り付け構造においては、特に、上記棚板の手前側に載置物の落下を防止するための落下防止バーが設けられているため、載置された化粧道具や歯磨きや歯ブラシ、各種スプレー等の小物類の落下を防いで容易に取り出し、また収納して元に戻すことができる。
【００１５】
本願請求項５記載の発明に係るキャビネットの棚板取り付け構造においては、特に、上記棚板に替えて箱体を用いることにより、化粧道具や歯磨きや歯ブラシ、各種スプレー等の小物類の落下を防いでしっかりと収納することができる。
【発明を実施するための最良の形態】
【００１６】
以下、本願発明にかかるキャビネットの棚板取り付け構造の実施形態について図面を参照して詳細に説明する。図１は、棚板１とキャビネット２とからなる本願発明のキャビネットの棚板取り付け構造Ａを示す分解斜視図である。図１に示すように、キャビネット２は、左側板２１と右側板２２と背板２３および天板２４と底板２５とからなり、左側板２１の後端部の内側には、スライド溝３１が縦方向に設けられ、右側板２２の後端部の内側には、スライド溝３２が縦方向に対向して設けられている。
【００１７】
棚板１の後端部左側には上記スライド溝３１にスライド自在に係合する係合片１１が突設され、また、右側には上記スライド溝３２にスライド自在に係合する係合片１２が突設されている。同様に、上記棚板１の前端部左側には側方に突出する固定片１３が設けられ、また、前端部右側には側方に突出する固定片１４が設けられ、これら固定片１３、１４には、雌ネジが螺刻されたネジ孔１３１および１４１が設けられている。
【００１８】
上記係合片１１、１２をスライド溝３１、３２に係合された棚板１は、上下にスライド自在とされ、所望の高さで固定用アジャスター４１、４２によって固定される。すなわち、上記ネジ孔１３１に螺刻された雌ネジと螺合する雄ネジ４１１を有する固定用アジャスター４１をねじ込み、同様にネジ孔１４１に螺刻された雌ネジと螺合する雄ネジ４２１を有する固定用アジャスター４２をねじ込み、各雄ネジ４１１、４２１の先端面を左側板２１および右側板２２の前側の端面に押し付けそれにより棚板１を手前に引き寄せて各係合片１１、１２を各スライド溝３１、３２の手前側側面に圧接させるのである。このようにすることにより棚板１が所望の位置でしっかりとネジ固定される。
【００１９】
固定用アジャスター４１、４２のヘッド部は軟質素材から形成されており、キャビネット２にスイング扉（図示せず）を取り付けた場合において、該スイング扉を閉じたときスイング扉の固定用アジャスター４１、４２のヘッド部への衝撃を該ヘッド部の軟質素材で和らげるようにしている。
【００２０】
図２は、左側板２１の後端部の内側と右側板２２の後端部の内側とをそれぞれ切り欠き、背板２３を取り付けてスライド溝３１、３２を形成した形態を示す断面図である。図２に示すように、上記スライド溝３１、３２に棚板１の係合片１１、１２を係合させ、所望の高さで固定用アジャスター４１、４２によって固定することにより、キャビネット２の上下方向の任意の位置に棚板１を取り付けることができる。
【００２１】
図３は、棚板１をキャビネット２に取り付ける方法について説明する説明図である。図３に示すように、棚板１を傾けてその後端部がキャビネット２の背板２３に当接するまで入れ、所望の位置で水平に戻すとともに、図示しない係合片１１、１２をスライド溝３１、３２に係合させる。その後、固定片１３、１４に固定用アジャスター４１、４２をねじ込むことにより、所望の位置で棚板１をしっかりとネジ固定することができる。
【００２２】
図４は、上記棚板１に載置した小物類の落下を防止するための落下防止バー５を設けた形態を示す斜視図である。落下防止バー５を設けることにより、棚板１が万が一手前側に傾斜した状態で固定された場合等において小物類が棚板１から落下することを防ぐことができる。
【００２３】
図５は、棚板１に替えて箱体６を用い、箱体６の後端部左側に係合片６１を、後端部右側に係合片６２を設けるとともに、上記箱体６の前端部左側に側方に突出する固定片６３を、右側に側方に突出する固定片６４を設けた形態を示す斜視図である。固定片６３、６４には、棚板１の場合と同様に雌ネジが螺刻されたネジ孔６３１、６４１が設けられている。このように、箱体６を用いることにより、小物類を落とすことなく、しっかりと収納することができる。
【００２４】
図６は、図１に示す本願発明のキャビネットの棚板取り付け構造Ａを、公知の洗面キャビネットＢ内にそのユニットとして組み込んで使用した形態を示す部分破断正面図である。上記形態においては、洗面キャビネットＢの扉（図示せず）を開閉して本願発明のキャビネットの棚板取り付け構造Ａから所望の小物類を取り出し、また、元に戻すが、このとき、固定用アジャスター４１、４２のヘッド部は軟質素材から形成されているため、洗面キャビネットＢの扉を閉めたとき、衝撃音の発生を抑え、快適に使用することができる。
【００２５】
なお、図６においては、キャビネット２に１枚の棚板１を取り付けた形態を示したが、２枚としてもよい。このように、本願発明のキャビネットの棚板取り付け構造Ａにおいては、複数枚の棚板を適宜間隔で取り付けて用いてもよく、特許請求の範囲を逸脱しない限り、いずれの場合も本願発明の技術的範囲に属する。
【図面の簡単な説明】
【００２６】
【図１】棚板とキャビネットとからなる本願発明のキャビネットの棚板取り付け構造を示す分解斜視図。
【図２】左右側板の後端部の各内側を切り欠き、背板を取り付けてスライド溝を設けた形態を示す断面図。
【図３】棚板をキャビネットに取り付ける方法について説明する説明図。
【図４】上記棚板に載置した小物類の落下を防止するための落下防止バーを設けた形態を示す斜視図。
【図５】棚板に替えて箱体を用い、箱体の左右後端部に係合片を設け、上記箱体の左右前端部に側方に突出する固定片を設けた形態を示す斜視図。
【図６】本願発明のキャビネットの棚板取り付け構造を、公知の洗面キャビネット内にそのユニットとして組み込んで使用した形態を示す部分破断正面図。
【図７】公知のキャビネットを示す説明図。
【符号の説明】
【００２７】
Ａ      本願発明に係るキャビネットの棚板取り付け構造
Ｂ      公知の洗面キャビネット
Ｃ      公知のキャビネット
１      棚板
１１    係合片
１２    係合片
１３    固定片
１３１  ネジ孔
１４    固定片
１４１  ネジ孔
２      キャビネット
２１    左側板
２２    右側板
２３    背板
２４    天板
２５    底板
３１    スライド溝
３２    スライド溝
４１    固定用アジャスター
４１１  雄ネジ
４２    固定用アジャスター
４２１  雄ネジ
５      落下防止バー
６      箱体
６１    係合片
６２    係合片
６３    固定片
６３１  ネジ孔
６４    固定片
６４１  ネジ孔
７      公知のキャビネットにおける下穴
８      公知のキャビネットにおけるダボ
９      公知のキャビネットにおける棚板
【図１】
2009195606.tif 000003
【図２】
2009195606.tif 000004
【図３】
2009195606.tif 000005
【図４】
2009195606.tif 000006
【図５】
2009195606.tif 000007
【図６】
2009195606.tif 000008
【図７】
2009195606.tif 000009